(57)【要約】【課題】  行動の不自由な者であっても安全で確実に立ち上がり又は座ることができ、且つ、使用者が立ち上がるときには使用者の体を持ち上げるという省力作用も有する空気圧式伸縮松葉杖を提供する。【解決手段】  本体パイプ（２３）と、その下端から入れ子式に挿入された支脚パイプ（４０）と、これらのパイプ間に作用する空気圧式伸縮機構（３０）とから構成され、使用者が立った状態から座った状態へ移行するときには、本体パイプ（２３）に体重を掛けて体を支えながら本体パイプ（２３）を押し下げることにより、杖を縮小させると共に、空気圧式伸縮機構（３０）内の空気を圧縮して蓄圧状態とし、他方、座った状態から立った状態へ移行するときには、上記蓄圧力を利用して使用者の体を支えながら本体パイプ（２３）を持ち上げ、杖を伸長させるように構成したことを特徴とする。【選択図】  図３
0003112349.tif 000002
【実用新案登録請求の範囲】
【請求項１】
杖本体（２０）が、本体パイプ（２３）とその下端から入れ子式に挿入された支脚パイプ（４０）とから構成され、
本体パイプ（２３）の上端には、使用者の腋下を支える腋下支持部（２１）が設けられ、本体パイプ（２３）の上下方向中間位置には使用者が把持する取っ手（２２）が取り付けられ、
支脚パイプ（４０）は、本体パイプ（２３）と支脚パイプ（４０）との間に作用する空気圧式伸縮機構（３０）の一部を構成する気密なシリンダ（４０）として構成され、
当該シリンダ型支脚パイプ（４０）内には、空気圧式伸縮機構（３０）の一部を構成するピストン（３６）とそのピストンロッド（３５）とが収容され、
シリンダ型支脚パイプ（４０）の上端からシリンダ外へ突出したピストンロッド（３５）の上端は、本体パイプ（２３）内において本体パイプに固定され、
上記ピストン（３６）には、当該ピストンによって分離されたシリンダの上側気室（４３）と下側気室（４４）とを互いに連通及び遮断せしめる開閉弁（４２）が設けられ、
当該開閉弁（４２）を開閉するための制御棒（３１）が上記ピストンロッド（３５）内に軸方向に沿って挿通され、その上端はピストンロッド（３５）の上端から突出すると共に、当該制御棒は、常態においては上記開閉弁（４２）を閉じる方向へバネ付勢（３４）され、
前記取っ手（２２）には、上記制御棒（３１）の上端に作用して上記開閉弁（４２）を開かせる操作レバー（３２）が取り付けられ、
これにより、支脚パイプ（４０）が本体パイプ（２３）の下端から伸び出した杖の伸長状態において、使用者が上記操作レバー（３２）を操作し上記開閉弁（４２）を開いてシリンダ（４０）の上側気室（４３）と下側気室（４４）とを連通させた状態で、本体パイプ（２３）に使用者の体重を掛けてこれを徐々に押し下げると、ピストンロッド（３５）を介してシリンダ内でピストンが押し下げられると共に、ピストンロッド（３５）が上記上側気室（４３）内へ進入することにより両気室の内圧が次第に上昇し、本体パイプ（２３）を所望の位置まで押し下げた時点で、上記操作レバー（３２）を解除して上記開閉弁（４２）を閉じると、上側気室（４３）と下側気室（４４）とが遮断され、両気室内が蓄圧状態に保持されたままピストン（３６）及びピストンロッド（３５）が一定位置に保たれ、これにより、支脚パイプ（４０）が本体パイプ（２３）内へ深く進入した杖の縮小状態が維持され、
次いで、上記縮小状態において、使用者が立ち上がる時、上記操作レバー（３２）を操作し上記開閉弁（４２）を開いてシリンダ（４０）の上側気室（４３）と下側気室（４４）とを連通させると、両気室内に蓄圧された空気圧により上記ピストン（３６）が押し上げられ、これによりピストンロッド（３５）を介して本体パイプ（２３）も押し上げられることにより、使用者の立ち上がり動作が補助されると共に、本体パイプ（２３）が所望の位置まで持ち上げられた時点で、操作レバー（３２）を解除して上記開閉弁（４２）を閉じると、上側気室（４３）と下側気室（４４）とが遮断され、ピストン（３６）及びピストンロッド（３５）が一定位置に保たれ、これにより、支脚パイプ（４０）が本体パイプ（２３）から伸び出した杖の伸長状態が維持されるよう構成されたこと、
を特徴とする空気圧式伸縮松葉杖。
【請求項２】
本体パイプ（２３）の上端の腋下支持部（２１）に、軟質パッド（２１）が取り付けられた請求項１に記載の空気圧式伸縮松葉杖。
【請求項３】
支脚パイプ（４０）の下端に滑り止めパッド（４１）が取り付けられた請求項１に記載の空気圧式伸縮松葉杖。
【考案の詳細な説明】
【技術分野】
【０００１】
本考案は、空気圧式伸縮松葉杖に係り、特に、行動の不自由な使用者が、安全、確実に立ち上がったり座ったりすることができ、且つ、省力作用も有する空気圧式伸縮松葉杖に関するものである。
【背景技術】
【０００２】
従来、一般に知られている長さの調節が可能な松葉杖は、図１１及び図１２に示すように、全体としての松葉杖１０が、杖本体１１と、支脚パイプ１５とから構成され、杖本体１１は、その上端に軟質のパッド１２が設けてあり、その下方に中空な本体パイプ１３が設けてあり、当該パイプ１３には、杖の長さを調整し固定するための留め孔１４が設けてあり、前記支脚パイプ１５には、その上端近くの内部に、本体パイプ１３の留め孔１４と係止し固定するための係止バネ１６が設けてある。支脚パイプ１５の下端には、滑り止めパッド１７が嵌めてある。
【０００３】
使用者がこの従来の松葉杖１０の長さを調整しようとする場合には、前記係止バネ１６を直接指で押圧することにより係止バネ１６を本体パイプ１３の留め孔１４から脱出させた上、支脚パイプ１５を松葉杖本体１１に対して引き出し又は押入れた後、係止バネ１６が別の留め孔１４に再び嵌合し固定されることにより、杖全体の長さを段階的に調整することができるようになっている。
【０００４】
しかしながら、これは次のような欠点があった。
（イ）松葉杖１０は支脚パイプ１５にある係止バネ１６により松葉杖本体１１にある留め孔１４に嵌合、固定されることにより、一定の長さを形成するので、使用者が座ろうとする場合には、松葉杖１０を斜めに傾けてゆっくりと腰を降ろしてゆく必要があり、このとき、松葉杖１０の支持効果がなくなるので、元来足の不自由な使用者は倒れやすいという危険性があった。
【０００５】
（ロ）使用者が松葉杖１０により立ち上がろうとする場合には、松葉杖１０を傾斜させて、腕や足に力を入れながらゆっくりと立ち上がることが必要であり、この場合も、使用者の体にはかなりの力が掛かり且つ倒れる虞れがあった。
【考案の開示】
【考案が解決しようとする課題】
【０００６】
本考案は上記の問題点を解決するためなされたものであり、その主な目的は、行動の不自由な者であっても安全で確実に立ち上がり又は座ることができ、且つ、使用者が立ち上がるときには使用者の体を持ち上げるという省力作用も有する空気圧式伸縮松葉杖を提供することにある。
【課題を解決するための手段】
【０００７】
上記の目的を達成するため、本考案に係る空気圧式伸縮松葉杖は、
杖本体が、本体パイプとその下端から入れ子式に挿入された支脚パイプとから構成され、
本体パイプの上端には、使用者の腋下を支える腋下支持部が設けられ、本体パイプの上下方向中間位置には使用者が把持する取っ手が取り付けられ、
支脚パイプは、本体パイプと支脚パイプとの間に作用する空気圧式伸縮機構の一部を構成する気密なシリンダとして構成され、
当該シリンダ型支脚パイプ内には、空気圧式伸縮機構の一部を構成するピストンとそのピストンロッドとが収容され、
シリンダ型支脚パイプの上端からシリンダ外へ突出したピストンロッドの上端は、本体パイプ内において本体パイプに固定され、
上記ピストンには、当該ピストンによって分離されたシリンダの上側気室と下側気室とを互いに連通及び遮断せしめる開閉弁が設けられ、
当該開閉弁を開閉するための制御棒が上記ピストンロッド内に軸方向に沿って挿通され、その上端はピストンロッドの上端から突出すると共に、当該制御棒は、常態においては上記開閉弁を閉じる方向へバネ付勢され、
前記取っ手には、上記制御棒の上端に作用して上記開閉弁を開かせる操作レバーが取り付けられ、
これにより、支脚パイプが本体パイプの下端から伸び出した杖の伸長状態において、使用者が上記操作レバーを操作し上記開閉弁を開いてシリンダの上側気室と下側気室とを連通させた状態で、本体パイプに使用者の体重を掛けてこれを徐々に押し下げると、ピストンロッドを介してシリンダ内でピストンが押し下げられると共に、ピストンロッドが上記上側気室内へ進入することにより両気室の内圧が次第に上昇し、本体パイプを所望の位置まで押し下げた時点で、上記操作レバーを解除して上記開閉弁を閉じると、上側気室と下側気室とが遮断され、両気室内が蓄圧状態に保持されたままピストン及びピストンロッドが一定位置に保たれ、これにより、支脚パイプが本体パイプ内へ深く進入した杖の縮小状態が維持され、
次いで、上記縮小状態において、使用者が立ち上がる時、上記操作レバーを操作し上記開閉弁を開いてシリンダの上側気室と下側気室とを連通させると、両気室内に蓄圧された空気圧により上記ピストンが押し上げられ、これによりピストンロッドを介して本体パイプも押し上げられることにより、使用者の立ち上がり動作が補助されると共に、本体パイプが所望の位置まで持ち上げられた時点で、操作レバーを解除して上記開閉弁を閉じると、上側気室と下側気室とが遮断され、ピストン及びピストンロッドが一定位置に保たれ、これにより、支脚パイプが本体パイプから伸び出した杖の伸長状態が維持されるよう構成されたこと、
を特徴とするものである。
本体パイプの上端の腋下支持部には、軟質パッドを取り付けることが望ましく、また、支脚パイプの下端には、滑り止めパッドを取り付けることが推奨される。
【考案の効果】
【０００８】
上記の如き構成を有する本考案に係る空気圧式伸縮松葉杖によれば、次のような効果が得られる。
（イ）使用者が立った状態から座ろうとするときには、図４に示すように、杖２０の本体パイプ２３に使用者の体重を掛けて体を支えながら、取っ手２２の操作レバーを握って支脚パイプ４０内のピストンの開閉弁を開いた状態にし、本体パイプ２３を徐々に押し下げる。これにより、杖の支脚パイプ４０は本体パイプ２３内に押し入れられて杖が次第に縮小してゆくので、所望の位置まで押し下げ、椅子等に腰掛けた時点で、操作レバーを握るのを止めて上記開閉弁を閉じると、杖２０は縮小されたままの状態が維持される。このとき、支脚パイプ４０内の空気は圧縮された蓄圧状態に維持される。
このように、使用者が立った状態から座ろうとするときに、使用者の体を、次第に押し縮められてゆく杖によって常に支えることができるため、体の不自由な使用者であっても、安全かつ確実に椅子等に座ることができる。
【０００９】
（ロ）使用者が座った状態から立ち上がろうとするときには、図５に示すように、使用者は体を杖２０に預け、取っ手２２の操作レバーを握って支脚パイプ４０内のピストンの開閉弁を開く。これにより、杖の支脚パイプ４０内に蓄圧された空気圧によってピストンが押し上げられ、これによって本体パイプ２３も押し上げられ、使用者の体が杖２０によって持ち上げられる。本体パイプ２３が所望の位置まで持ち上げられた時点で、操作レバーを握るのを止めて上記開閉弁を閉じると、杖２０は長く伸びたままの状態が維持され、使用者はこの杖を用いて歩行することができる。
このように、使用者が座った状態から立ち上がろうとするときに、使用者の体を杖が持ち上げてくれるため、その省力効果により体の不自由な使用者であっても楽に立ち上がることができる。
【考案を実施するための最良の形態】
【００１０】
以下、添付図面を参照しつつ本考案の好適な実施形態について詳細に説明する。
図１は、本考案に係る空気圧式伸縮松葉杖の一実施例を示す外観斜視図、
図２は、図１に示した空気圧式伸縮松葉杖の一部拡大断面図、
図３は、図２に示した空気圧式伸縮松葉杖の伸縮機能を示す説明図、
図４は、本考案に係る空気圧式伸縮松葉杖を用いて、使用者が立った状態から椅子に腰掛けるときの状態を示す説明図、
図５は、本考案に係る空気圧式伸縮松葉杖を用いて、使用者が椅子に腰掛けた状態から立ち上がるときの状態を示す説明図、
図６は、本考案に係る空気圧式伸縮松葉杖の空気圧伸縮機構を、その支脚パイプが本体パイプの外側へ伸び出した状態（本体パイプが上側へ持ち上がり、杖が伸びた状態）において示す断面図、
図７は、上記支脚パイプが本体パイプの内側へ後退した状態（本体パイプが下側へ押し下げられ、杖が縮んだ状態）において示す断面図、
図８は、杖が縮んでゆくときに、ピストンに設けた開閉弁を通過する空気の流れを示す拡大断面図、
図９は、上記支脚パイプが本体パイプの外側へ伸び出し、図６に示した状態（本体パイプが上側へ持ち上がり、杖が伸びた状態）に復帰する様子を示す断面図、
図１０は、杖が伸びてゆくときに、ピストンに設けた開閉弁を通過する空気の流れを示す拡大断面図である。
【００１１】
これらの図中、２０は杖本体、２１はその腋下支持部、２１０は軟質パッド、２２は取っ手、２２１は取っ手の内部空間、２２２はバネ保持溝、２２３は保持爪、２３は上下動式本体パイプ、２３１は固定フランジ、３０は空気圧式伸縮機構、３１は制御棒、３２は操作レバー、３２１は保持溝、３２２は軸支ピン、３３は押出しバネ、３４は制御棒押上げバネ、３５はピストンロッド、３６はピストン、４０はシリンダ型支脚パイプ、４１は滑り止めパッド、４２は開閉弁、４２１は弁座、４２２は弁体、４３は上側気室、４４は下側気室である。
【００１２】
図１に示すように、本考案に係る空気圧式伸縮松葉杖の杖本体２０は、本体パイプ２３と、その下端から入れ子式に挿入された支脚パイプ４０とから構成され、杖本体２０の内部には、図２及び図３に示すように、空気圧式伸縮機構３０が設けられている。
本体パイプ２３の上端には、使用者の腋下を支える腋下支持部２１が設けられ、当該腋下支持部２１の上面もしくは外周面には軟質パッド２１０が取り付けられている。また、支脚パイプ４０の下端には滑り止めパッド４１が取り付けられている。
【００１３】
本体パイプ２３の上下方向中間位置には使用者が把持する取っ手２２が取り付けられ、当該取っ手２２には操作レバー３２が取り付けられている。
即ち、図２及び図３に示すように、操作レバー３２の大部分は取っ手２２の内部空間２２１内に収容され、軸支ピン３２２（図２参照）によって回動可能なよう保持されると共に、押出しバネ３３により当該バネに当接せしめられた操作レバー３２の後端側が取っ手２２の外側へ向けて押されるようになっている。押出しバネ３３の基端部は、取っ手２２の内面に形成したバネ保持溝２２２により一定位置に保持されるようになっている。操作レバー３２の後端外面には保持溝３２１が形成されると共に、取っ手２２に取り付けた保持爪２２３がこの保持溝３２１に嵌合することにより、操作レバー３２は常態において図２及び図３に示すような一定位置に保持されるようになっている。
【００１４】
使用者が、取っ手２２を掴んだ状態で指を握り締めることにより、押出しバネ３３の押出し力に抗して操作レバー３２を取っ手２２の内部空間２２１内に押し込むように操作すると、操作レバー３２の先端が制御棒３１を押し下げ、これにより、図７〜図１０に示すように、制御棒３１の下端に設けた弁体４２２が弁座４２１から離れ、ピストン３６に設けた開閉弁４２が開くようになっている。
使用者が、操作レバー３２を握り締める操作を止めると、押出しバネ３３の押出し力により操作レバー３２は元の状態に復帰し、制御棒３１は、ピストン３６内の制御棒押上げバネ３４の作用で上方向へ押し上げられ、これにより、弁体４２２は再び弁座４２１に密着して、ピストン３６に設けた開閉弁４２が閉じるようになっている。
【００１５】
図６、図７、図９に示すように、支脚パイプ４０は気密なシリンダとして構成され、本体パイプ２３と支脚パイプ４０との間に作用する空気圧式伸縮機構３０の一部を構成するようになっている。
空気圧式伸縮機構３０は、当該シリンダ型支脚パイプ４０と、その内部に収容されるピストン３６と、そのピストンロッド３５と、ピストン３６に設けた開閉弁４２と、当該開閉弁４２を開閉制御する制御棒３１、等々により構成される。
ピストンロッド３５の上端は、シリンダ型支脚パイプ４０の上端からシリンダ外へ突出すると共に、図２及び図３に示す如く、本体パイプ２３内において、固定フランジ２３１によって本体パイプ２３に固定される。
【００１６】
上記ピストン３６には、当該ピストンによって分離されたシリンダの上側気室４３と下側気室４４とを互いに連通及び遮断せしめる開閉弁４２が設けられる。当該開閉弁４２は、ピストン３６に固着された弁座４２１と、これに接離する弁体４２２とから構成され、図示した実施例においては、当該弁体４２２は前記制御棒３１の下端に制御棒３１と一体的に設けられるようになっている。また、制御棒３１は、押上げバネ３４によって上方向に押し上げられ、常態においては弁体４２２が弁座４２１に当接して、開閉弁４２が閉じられるようになっている。
上記制御棒３１は、図示する如く、前記ピストンロッド３５内にその軸方向に沿って摺動可能なよう挿通され、制御棒３１の上端はピストンロッド３５の上端から突出して、前記操作レバー３２の先端に当接し、使用者が前記の如く操作レバー３２を操作することにより、制御棒３１が上下に移動し、開閉弁４２が開閉操作可能なようになっている。
【００１７】
以下、上記の如き構成を有する本考案の空気圧式伸縮松葉杖の使用方法について説明する。
図６に示すように杖が伸びた通常の状態においては、シリンダ型支脚パイプ４０内においてピストン３６は上側に位置し、ピストンロッド３５は支脚パイプ４０の上端から長く伸び出ている。そのため、前記の如く、ピストンロッド３５の上端と固定された本体パイプ２３も支脚パイプ４０から上側へ高く持ち上がり、長く伸び上がった状態にある。換言すれば、支脚パイプ４０が本体パイプ２３の下端から伸び出した状態にある。
このとき、制御棒３１は、ピストン３６内の前記押上げバネ３４の作用で押し上げられ、これにより弁体４２２が弁座４２１に圧接し、開閉弁４２は閉じられた状態になっている。そのため、シリンダ型支脚パイプ４０内の上側気室４３と下側気室４４とは遮断され、両気室間での空気の流通は行われず、これにより、杖が伸びた状態が維持され、使用者はこの杖を使い、通常の松葉杖と同様に自由に歩行ができるようになっている。
【００１８】
次に、使用者が、図４に示すように、立った状態から座ろうとするときには、腋の下に松葉杖の腋下支持部２１を当てがい、前記操作レバー３２を握り締めて制御棒３１を押し下げることにより、前記開閉弁４２を開いた状態にする。このように開閉弁４２を開き、シリンダ４０の上側気室４３と下側気室４４とを連通させた状態で、使用者が本体パイプ２３に体重を掛け、これを徐々に押し下げると、本体パイプ２３に固定されたピストンロッド３５も同時に押し下げられ、これにより、図７に示す如くピストン３６がシリンダ内で押し下げられる。このとき同時に、支脚パイプ４０は本体パイプ２３内へ進入してゆき、杖は次第に縮小してゆく。
この期間中、開閉弁４２は上記の如く開かれた状態にあり、シリンダ４０の上側気室４３と下側気室４４とは連通した状態にあるため、図８に示すように、下側気室４４内の空気は開閉弁４２を通じて上側気室４３内へと移動する。一方、ピストンロッド３５が上記の如く押し下げられ、当該ピストンロッド３５が上側気室４３内へ進入することにより、上側気室４３と下側気室４４の合計内部容積は次第に減少し、そのため内部の空気は圧縮されて、両気室の内圧は次第に上昇する。シリンダ４０の内径に比べてピストンロッド３５が太いほど、この圧縮率は高くなる。
【００１９】
このようにして使用者が次第に腰を低くして行き、本体パイプ２３が所望の位置まで押し下げられ、使用者が椅子等に腰掛けた時点で、上記操作レバー３２を握る力を解除する。そのときは、操作レバー３２は前記押出しバネ３３の作用で元の状態に復帰し、制御棒３１は押上げバネ３４の作用で持ち上げられ、これにより弁体４２２が再び弁座４２１に圧接して、開閉弁４２が閉じられる。
このとき、それまで連通していた上側気室４３と下側気室４４の気圧は等しいが、ピストン３６の上側気室４３側の受圧面積は、下側気室４４側の受圧面積に比べてピストンロッド３５の軸直角断面積の分だけ少ないため、ピストン３６は、その下側から受ける力の方が上側から受ける力よりも大きく、従って、ピストン３６は若干上方向へ移動し、これにより、上側気室４３の内容積が若干減少して気圧が高まり、他方、下側気室４４の内容積は若干増加して気圧が若干低下し、ピストン３６が上側から受ける力と下側から受ける力とが等しくなった位置でピストン３６は停止する。
この状態で、開閉弁４２は上記の如く閉じられた状態にあり、上側気室４３と下側気室４４との間での空気の流通は遮断されているため、杖は縮小した状態に保たれる。
即ち、上側気室４３と下側気室４４は開閉弁４２によって遮断され、両気室内は蓄圧状態に保持されたままピストン３６及びピストンロッド３５が一定位置に保たれ、これにより、支脚パイプ４０が本体パイプ２３内へ深く進入した杖の縮小状態が維持される。
【００２０】
次に、使用者が、図５に示すように、椅子に座った状態から立ち上がろうとするときには、前記操作レバー３２を再び握り締めて制御棒３１を押し下げることにより、前記開閉弁４２を開いた状態にする。このように開閉弁４２を開き、シリンダ４０の上側気室４３と下側気室４４とを連通させると、両気室内の圧力は等しくなるが、ピストン３６の上側気室４３側の受圧面積は、前記の如く、下側気室４４側の受圧面積に比べてピストンロッド３５の軸直角断面積の分だけ少ないため、ピストン３６は、その下側から受ける力の方が上側から受ける力よりも大きく、従って、開閉弁４２が開かれている間、ピストン３６は上方向へ移動し続ける。換言すれば、使用者が座るときに、本体パイプ２３を押し下げてシリンダ内を蓄圧状態にした当該蓄圧力によってピストン３６は上へ押し上げられ、これにより本体パイプ２３も押し上げられて、図９に示す如く、杖は次第に元の伸長状態に復帰する。この期間中、図１０に示すように、上側気室４３内の空気は開閉弁４２を通じて下側気室４４内へと移動する。
このように、圧縮空気の圧力により本体パイプ２３が押し上げられることにより、使用者の体は持ち上げられ、その立ち上がり動作が補助される。
本体パイプ２３が所望の位置まで持ち上げられた時点で、操作レバー３２を握る力を解除し、押上げバネ３４の作用で制御棒３１を上方向へ移動させ上記開閉弁４２を閉じると、上側気室４３と下側気室４４との連通が遮断される。これにより、ピストン３６及びピストンロッド３５が一定位置に保たれ、支脚パイプ４０が本体パイプ２３から伸び出した杖の伸長状態が維持される。
これによって、杖は図６に示したような元の伸長状態に復帰し、使用者の歩行のために利用可能な状態となる。
【００２１】
なお、本考案は上記実施例に限定されるものではなく、例えば空気圧式伸縮機構３０等の構成は適宜設計変更可能であり、従って、本考案はその目的の範囲内において、上記の説明から当業者が容易に想到し得るすべての変更実施例を包摂するものである。
【産業上の利用可能性】
【００２２】
以上のように、本考案に係る空気圧式伸縮松葉杖によるときは、使用者が立った状態から座ろうとするときには、使用者の体を、次第に押し縮められてゆく杖によって常に支えることができるため、体の不自由な使用者であっても、安全かつ確実に椅子等に座ることができる。
また、使用者が座った状態から立ち上がろうとするときには、使用者の体を杖が持ち上げてくれるため、その省力効果により体の不自由な使用者であっても楽に立ち上がることができる。
従って、本考案によるときは、行動の不自由な者であっても安全で確実に立ち上がり又は座ることができ、且つ、使用者が立ち上がるときには使用者の体を持ち上げるという省力作用も有する産業上有用な空気圧式伸縮松葉杖を提供し得るものである。
【図面の簡単な説明】
【００２３】
【図１】本考案に係る空気圧式伸縮松葉杖の一実施例を示す外観斜視図である。
【図２】図１に示した空気圧式伸縮松葉杖の一部拡大断面図である。
【図３】図２に示した空気圧式伸縮松葉杖の伸縮機能を示す説明図である。
【図４】本考案に係る空気圧式伸縮松葉杖を用いて、使用者が立った状態から椅子に腰掛けるときの状態を示す説明図である。
【図５】本考案に係る空気圧式伸縮松葉杖を用いて、使用者が椅子に腰掛けた状態から立ち上がるときの状態を示す説明図である。
【図６】本考案に係る空気圧式伸縮松葉杖の空気圧伸縮機構を、その支脚パイプが本体パイプの外側へ伸び出した状態（本体パイプが上側へ持ち上がり、杖が伸びた状態）において示す断面図である。
【図７】上記支脚パイプが本体パイプの内側へ後退した状態（本体パイプが下側へ押し下げられ、杖が縮んだ状態）において示す断面図である。
【図８】杖が縮んでゆくときに、ピストンに設けた開閉弁を通過する空気の流れを示す拡大断面図である。
【図９】上記支脚パイプが本体パイプの外側へ伸び出し、図６に示した状態（本体パイプが上側へ持ち上がり、杖が伸びた状態）に復帰する様子を示す断面図である。
【図１０】杖が伸びてゆくときに、ピストンに設けた開閉弁を通過する空気の流れを示す拡大断面図である。
【図１１】従来公知の伸縮式松葉杖の全体図である。
【図１２】従来公知の伸縮式松葉杖の本体パイプと支脚パイプの継ぎ目部分の構成を示す断面図である。
【符号の説明】
【００２４】
１０      従来の伸縮式松葉杖
１１      杖本体
１２      軟質パッド
１３      本体パイプ
１４      留め孔
１５      支脚パイプ
１６      係止バネ
１７      滑り止めパッド
２０      杖本体
２１      腋下支持部
２１０    軟質パッド
２２      取っ手
２２１    取っ手の内部空間
２２２    バネ保持溝
２２３    保持爪
２３      上下動式本体パイプ
２３１    固定フランジ
３０      空気圧式伸縮機構
３１      制御棒
３２      操作レバー
３２１    保持溝
３２２    軸支ピン
３３      押出しバネ
３４      制御棒押上げバネ
３５      ピストンロッド
３６      ピストン
４０      シリンダ型支脚パイプ
４１      滑り止めパッド
４２      開閉弁
４２１    弁座
４２２    弁体
４３      上側気室
４４      下側気室
【図１】
0003112349.tif 000003
【図２】
0003112349.tif 000004
【図３】
0003112349.tif 000005
【図４】
0003112349.tif 000006
【図５】
0003112349.tif 000007
【図６】
0003112349.tif 000008
【図７】
0003112349.tif 000009
【図８】
0003112349.tif 000010
【図９】
0003112349.tif 000011
【図１０】
0003112349.tif 000012
【図１１】
0003112349.tif 000013
【図１２】
0003112349.tif 000014